(57)【要約】【課題】  ハンマーとスピーカとの距離を離したり、防磁タイプのスピーカを使用したりせず、簡単な構造で、ハンマーに対するスピーカの磁力による影響を防ぐことができる電子鍵盤楽器を提供する。【解決手段】  鍵盤シャーシ１に回動可能に設けられた鍵２を押鍵操作したときに、ハンマー３によって鍵２にアクション荷重を付与してアコースティックピアノに近似した鍵タッチ感が得られる電子ピアノにおいて、スピーカ５の近傍に位置するハンマー３とスピーカ５との間に位置する箇所の鍵盤シャーシ１に防磁シート６を設けた。従って、鍵２を押鍵操作してスピーカ５から楽音を発生するときに、スピーカ５が磁界を発生しても、その磁界の磁力線が防磁シート６を通り抜けることがない。このため、環境に配慮してハンマー３を鉄系の金属材料で製作しても、スピーカ５の近傍に位置するハンマー３に対し、スピーカ５で発生した磁界の影響を防ぐことができる。【選択図】        図２
2007003562.tif 000002
【特許請求の範囲】
【請求項１】
鍵盤シャーシと、
この鍵盤シャーシ上に上下方向に回動可能に配置された複数の鍵と、
この複数の鍵の押鍵操作に伴って回動変位して前記複数の鍵にそれぞれアクション荷重を付与する鉄系の金属材料からなる複数のハンマーと、
前記複数の鍵の押鍵操作に応じてそれぞれオン信号を出力する複数のスイッチと、
この複数のスイッチのオン信号に基づいて楽音を発生するスピーカと、
少なくとも前記スピーカの近傍に位置する前記ハンマーと前記スピーカとの間に配置された防磁シートと
を備えたことを特徴とする電子鍵盤楽器。
【請求項２】
前記防磁シートは、前記スピーカとその近傍に位置する前記ハンマーとの間に位置する箇所の前記鍵盤シャーシに設けられていることを特徴とする請求項１に記載の電子鍵盤楽器。
【発明の詳細な説明】
【技術分野】
【０００１】
この発明は、電子ピアノや電子オルガンなどの電子鍵盤楽器に関する。
【背景技術】
【０００２】
従来、電子ピアノにおいては、特許文献１に記載されているように、鍵盤シャーシと、この鍵盤シャーシ上に上下方向に回動可能に配置された鍵と、この鍵の押鍵操作に伴って回動変位して鍵にアクション荷重を付与するハンマーとを備え、押鍵操作時にハンマーが鍵にアクション荷重を付与することにより、アコースティックピアノに近似した鍵タッチ感が得られるように構成されたものがある。この種の電子ピアノでは、押鍵操作に応じてスイッチがオン信号を出力し、このスイッチのオン信号に基づいてスピーカが楽音を発生するように構成されている。
【特許文献１】特開平１１−３０５７５９号
【発明の開示】
【発明が解決しようとする課題】
【０００３】
しかしながら、このような従来の電子ピアノにおいては、環境に配慮して、鍵にアクション荷重を付与するハンマーを鉛に代えて鉄系の金属材料で製作するようになっており、このためスピーカから楽音を発生するときに、スピーカに磁界が発生し、この磁界の磁力によってハンマーの動作が影響を受け、所望するアクション荷重が鍵に正確に付与されず、アコースティックピアノに近似した鍵タッチ感が得られないという問題がある。
【０００４】
すなわち、この電子ピアノでは、ハンマーが回動して鍵にアクション荷重を付与するときに、スピーカが楽音を発生するので、このスピーカに発生した磁界の磁力によって、鉄系の金属材料からなるハンマーが吸引され、所望するアクション荷重が鍵に正確に付与されない。特に、押鍵された鍵が離鍵するときに、ハンマーが速やかに初期位置に復帰せず、スピーカの磁力によってハンマーの復帰動作が妨げられるので、同じ鍵を連続して押鍵する連弾の際に支障をきたす。
【０００５】
なお、このような問題を回避するために、ハンマーとスピーカとの距離を離したり、防磁タイプのスピーカを使用したりすることが検討されているが、ハンマーとスピーカとの距離を離すと、楽器全体が大型化するという問題が生じ、また防磁タイプのスピーカを使用すると、コストが高くなるという問題が生じる。
【０００６】
この発明が解決しようとする課題は、ハンマーとスピーカとの距離を離したり、防磁タイプのスピーカを使用したりせず、簡単な構造で、ハンマーに対するスピーカの磁力による影響を防ぐことができる電子鍵盤楽器を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１および図２に示すように、鍵盤シャーシ（１）と、この鍵盤シャーシ上に上下方向に回動可能に配置された複数の鍵（２）と、この複数の鍵の押鍵操作に伴って回動変位して前記複数の鍵にそれぞれアクション荷重を付与する鉄系の金属材料からなる複数のハンマー（３）と、前記複数の鍵の押鍵操作に応じてそれぞれオン信号を出力する複数のスイッチ（ゴムスイッチ４）と、この複数のスイッチのオン信号に基づいて楽音を発生するスピーカ（５）と、少なくとも前記スピーカの近傍に位置する前記ハンマーと前記スピーカとの間に配置された防磁シート（６）とを備えたことを特徴とする電子鍵盤楽器である。
【０００９】
請求項２に記載の発明は、図１および図２に示すように、前記防磁シート（６）が、前記スピーカ（５）とその近傍に位置する前記ハンマー（３）との間に位置する箇所の前記鍵盤シャーシ（１）に設けられていることを特徴とする請求項１に記載の電子鍵盤楽器である。
【発明の効果】
【００１０】
請求項１に記載の発明によれば、少なくともスピーカの近傍に位置するハンマーとスピーカとの間に防磁シートを配置したので、鍵を押鍵操作してハンマーを回動させて鍵にアクション荷重を付与すると共にスピーカから楽音を発生するときに、スピーカに磁界が発生しても、その磁界の磁力線が防磁シートを通り抜けず、防磁シートによってスピーカの磁力がスピーカの近傍のハンマーに影響を及ばないようにすることができる。このため、環境に配慮してハンマーを鉛に代えて鉄系の金属材料で製作しても、スピーカの近傍に位置するハンマーに対し、スピーカで発生した磁界の影響を防ぐことができる。
【００１１】
このため、鍵の押鍵操作に伴ってハンマーがスピーカで発生した磁界の影響を受けずに良好に回動変位して鍵に所望するアクション荷重を付与することができ、これによりアコースティックピアノに近似した鍵タッチ感を良好に得ることができるほか、特にハンマーとスピーカとの距離を離したり、防磁タイプのスピーカを使用したりせず、スピーカとハンマーとの間に防磁シートを配置するだけの簡単な構造で、楽器全体の小型化を図ることができると共に、低コスト化をも図ることができる。
【００１２】
請求項２に記載の発明によれば、防磁シートがスピーカとその近傍に位置するハンマーとの間に位置する箇所の鍵盤シャーシに設けられていることにより、防磁シートを設けるための特別なスペースや特殊な設置部材を必要とせず、防磁シートを鍵盤シャーシの必要な箇所のみに簡単に取り付けることができる。このため、通常のスピーカを使用しても、楽器全体の大型化を防ぐことができるほか、特にスピーカが設置場所の制約を受けないため、所望する箇所にスピーカを自由に設置することができる。
【発明を実施するための最良の形態】
【００１３】
以下、図１および図２を参照して、この発明を電子ピアノに適用した一実施形態について説明する。
この電子ピアノは、図１および図２に示すように、合成樹脂製の鍵盤シャーシ１と、この鍵盤シャーシ１上に上下方向に回動可能に設けられた合成樹脂製の複数の鍵２（白鍵と黒鍵、ただしこの実施形態では白鍵について説明する。）と、これら複数の鍵２にそれぞれアクション荷重を付与する複数のハンマー３と、各鍵２の押鍵操作に応じてそれぞれオン信号を出力する複数のゴムスイッチ４と、これら複数のゴムスイッチ４からのオン信号に基づいて楽音を発生するスピーカ５と、このスピーカ５とその近傍に位置するハンマー３との間に配置された防磁シート６とを備えている。
【００１４】
鍵盤シャーシ１は、楽器ケースをも兼ねるものであり、図１および図２に示すように、その前端部（同図では右端部）には、鍵２の前端部に対応する前カバー部７が底部から上方に突出して形成されている。この前カバー部７の後部（同図では左側）における中段部８上には、鍵２の横振れを防ぐための鍵ガイド９が上方に突出して設けられている。また、この鍵盤シャーシ１の中間部には、図１および図２に示すように、前側載置部１０が形成されており、この前側載置部１０上には、ハンマー３を回動可能に支持するためのハンマー支持部１１が中段部８とほぼ同じ高さで形成されている。
【００１５】
また、鍵盤シャーシ１における前側載置部１０の後部には、図１および図２に示すように、後側載置部１２が前側立上り部１３によって支持された状態で前カバー部７とほぼ同じ高さで形成されている。この後側載置部１２における前側上部には、スイッチ基板１４が鍵２の配列方向（図１では紙面の表裏面方向）に沿って取り付けられており、このスイッチ基板１４上には、後述するゴムスイッチ４が各鍵２に対応してそれぞれ設けられている。また、後側載置部１２における後端上部には、鍵支持部１５が形成されている。この鍵支持部１５には、鍵２の後端部を回動可能に支持するための鍵支持軸１６が設けられている。
【００１６】
鍵２は、図１および図２に示すように、その後端部（同図では左端部）の両側面に鍵取付孔部１７が形成され、この鍵取付孔部１７が鍵盤シャーシ１の鍵支持部１５の鍵支持軸１６に回動可能に取り付けられ、これにより鍵支持軸１６を中心に上下方向に回動するように構成されている。この鍵２の中間部における後部側には、スイッチ押圧部１８が鍵盤シャーシ１の後側載置部１２上に設けられたスイッチ基板１４のゴムスイッチ４に対応して形成されている。また、この鍵２の中間部における前部側には、ハンマー３の先端部（図１では右端部）に形成された後述するハンマー当接部２３を保持するハンマー連結部１９が鍵盤シャーシ１の前側載置部１０上に向けて下方に延出されて形成されている。
【００１７】
ところで、ゴムスイッチ４は、図１および図２に示すように、スイッチ基板１４の上面に配置されたゴムシートを備え、このゴムシートにドーム状の膨出部が各鍵２のスイッチ押圧部１８にそれぞれ対応して形成され、このドーム状の膨出部内に高さの異なる一対の可動接点が設けられ、この一対の可動接点がスイッチ基板１４上に設けられた一対の固定接点に接離可能にそれぞれ離間対向するように構成されている。これにより、ゴムスイッチ４は、図２に示すように、押鍵動作に応じて鍵２のスイッチ押圧部１８によってドーム状の膨出部が押圧されたときに、膨出部が弾性変形して一対の可動接点が一対の固定接点に時間差をもって順次接触することにより、鍵タッチの強さに応じたオン信号を出力するように構成されている。
【００１８】
一方、ハンマー３は、図１および図２に示すように、鉄系の金属材料からなるハンマー本体２０を備え、このハンマー本体２０の中間部よりも前側の部分に合成樹脂製の軸受部２１が設けられ、この軸受部２１が鍵盤シャーシ１の前側載置部１０上に形成されたハンマー支持部１１に支持軸２２によって回動自在に取り付けられている。すなわち、ハンマー本体２０は、図１および図２に示すように、その後端部(図１では左端部)が鍵盤シャーシ１における後側載置部１２の下側に配置され、前端部(図１では右端部)が鍵盤シャーシ１における後側載置部１２の前側立上り部１３に設けられた開口部１３ａを通して前側載置部１０の上方に突出し、この突出した軸受部２１がハンマー支持部１１に支持軸２２によって回動可能に取り付けられる。
【００１９】
この場合、ハンマー本体２０は、図１および図２に示すように、その先端部、つまり軸受部２１よりも前側（図１では右側）に位置する端部にハンマー当接部２３が設けられ、このハンマー当接部２３が鍵２のハンマー連結部１９に挿入されて保持され、これによりハンマー本体２０が鍵２の押鍵動作に連動してハンマー支持部１１に支持された支持軸２２を中心に上下方向に回動することにより、鍵２にアクション荷重を付与するように構成されている。
【００２０】
また、このハンマー本体２０は、通常は、その自重によって図１において反時計回りに付勢されて、ハンマー本体２０の後端部(図１では左端部)が鍵盤シャーシ１の底部に設けられた底板１ａ上に配置されたフェルトなどの下限ストッパ部２４に当接することにより、ハンマー本体２０の下限位置が規制されるように構成されている。また、このハンマー本体２０は、図２に示すように、その自重に抗して時計回りに回動したときに、鍵盤シャーシ１の後側載置部１２における後端下面に配置されたフェルトなどの上限ストッパ部２５に当接することにより、ハンマー本体２０の上限位置が規制されるように構成されている。
【００２１】
ところで、このハンマー本体２０の後端部の後方には、図１および図２に示すように、アコースティックピアノで得られる抜ける感じの鍵タッチ感に近似した鍵タッチ感を鍵２に付与するクリック感付与部材２６が設けられている。このクリック感付与部材２６は、鍵盤シャーシ１の後端部の底部に固定された合成樹脂製のローラ支持体２７を備えている。このローラ支持体２７は、各鍵２に対応する箇所に板ばね部２８がほぼＬ字形に形成されて上方に延び、この板ばね部２８の上端部に形成された取付枠２９にローラ３０が回転自在に取り付けられた構成になっている。
【００２２】
これにより、このクリック感付与部材２６は、図１および図２に示すように、押鍵時にハンマー３のハンマー本体２０がハンマー支持部１１の支持軸２１を中心に時計回りに回動したときに、ハンマー本体２０の後端部に設けられた突起部２０ａの先端がローラ３０に当接し、このハンマー本体２０の突起部２０ａの先端がローラ支持体２７の板ばね部２８のばね力に抗してローラ３０を乗り越えたときに、鍵２に抜ける感じの鍵タッチ感を付与するようになっている。
【００２３】
一方、鍵盤シャーシ１の後部上方には、図１および図２に示すように、上部ケース３１が取り付けられている。この上部ケース３１は、鍵２の後部上方から鍵盤シャーシ１の後側載置部１２の後部上方に位置する上面部３２と、この上面部３２の後端部から垂下された背面部３３とからなり、鍵２の配列方向(図１では紙面の表裏面方向)に沿って細長く形成され、背面部３３の下部が鍵盤シャーシ１の底部後端に設けられた取付部３４に取り付けられている。
【００２４】
この上部ケース３１の上面部３２の長手方向の両端部（図１では紙面の表裏面方向の両端部）には、図１および図２に示すように、楽音を発生するスピーカ５が上方に露出した状態でそれぞれ取り付けられている。このスピーカ５は、スイッチ基板１４上に設けられた複数のゴムスイッチ４のオン信号に基づいて楽音を発生するように構成されている。また、このスピーカ５の近傍に位置するハンマー３の後端部とスピーカ５との間に位置する箇所の鍵盤シャーシ１の後部表面には、防磁シート６が設けられている。
【００２５】
この防磁シート６は、スピーカ５で発生した磁界が鉄系の金属材料からなるハンマー本体２０に影響を及ぼすのを防ぐように構成されている。すなわち、この防磁シート６は、スピーカ５で発生した磁界の磁力線が防磁シート６の表面だけに入り、その表面にのみ渦電流を生じ、防磁シート６の内部に入らず、磁力線が防磁シート６の表面に沿って誘導され、その結果として磁力線の通り抜けを防ぐことにより防磁効果としての機能を有し、スピーカ５の磁力の影響がハンマー本体２０に及ばないように構成されている。
【００２６】
次に、このような電子ピアノの作用について説明する。
通常は、図１に示すように、ハンマー３がハンマー本体２０の自重によってハンマー支持部１１の支持軸２２を中心に反時計回りに付勢され、これによりハンマー本体２０の後端部が下限ストッパ部２４に当接してハンマー３が下限位置に規制されている。このときは、ハンマー本体２０の先端部のハンマー当接部２３が鍵２のハンマー連結部１９内に挿入されて保持されているので、ハンマー本体２０のハンマー当接部２３によって鍵２のハンマー連結部１９が押し上げられ、これにより鍵２が上限位置に規制されている。
【００２７】
この状態で、ハンマー３のハンマー本体２０の自重に抗して鍵２を押鍵すると、その鍵２が後端部の鍵支持軸１６を中心に図１において時計回りに回動する。このときには、鍵２が鍵ガイド８によってガイドされるので、横振れすることがなく、円滑に回動して鍵２のハンマー連結部１９を下方に移動させ、このハンマー連結部１９に挿入されたハンマー本体２０のハンマー当接部２３を押し下げる。
【００２８】
これに伴って、ハンマー本体２０がハンマー支持部１１の支持軸２１を中心に時計回りに回動するので、ハンマー本体２０の自重に応じた荷重が鍵２に付与され、鍵荷重が重くなる。これにより、ハンマー本体２０の動作に応じたアクション荷重が鍵２に付与されるので、アコースティックピアノに近似した鍵タッチ感が得られる。そして、鍵２が更に押されると、鍵２のスイッチ押圧部１８がスイッチ基板１４のゴムスイッチ４を押圧し、ゴムスイッチ４の膨出部を弾性変形させるので、ゴムスイッチ４が鍵タッチの強さに応じたオン信号を出力し、スピーカ５が楽音を発生する。
【００２９】
この状態で、鍵２が更に押されてハンマー３のハンマー本体２０が更に時計回りに回動すると、ハンマー本体２０の後端部の突起部２０ａがクリック感付与部材２６のローラ３０に当接するので、鍵荷重が更に重くなるが、ハンマー本体２０の後端部の突起部２０ａがクリック感付与部材２６の板ばね部２８のばね力に抗してローラ３０を乗り越えると、鍵荷重が急激に軽くなり、これより鍵２にアコースティックピアノで得られる抜ける感じの鍵タッチ感に近似した鍵タッチ感が得られる。なお、離鍵時には、ハンマー３がハンマー本体２０の自重によって図２において反時計回りに回動して初期位置に戻り、これに伴って鍵２も初期位置に戻る。
【００３０】
このように、この電子ピアノによれば、鍵２を押鍵操作すると、ハンマー３のハンマー本体２０が回動して鍵２にアクション荷重が付与されると共に、ゴムスイッチ４が鍵２のスイッチ押圧部１８によって押圧されてオン信号を出力し、これによりスピーカ５が楽音を発生する。このときに、スピーカ５が磁界を発生するが、このスピーカ５の近傍に位置するハンマー３とスピーカ５との間に位置する箇所の鍵盤シャーシ１に防磁シート６が設けられているので、スピーカ５で発生した磁界による磁力の影響が防磁シート６によってハンマー３に及ぶのを防ぐことができる。
【００３１】
すなわち、環境に配慮してハンマー３のハンマー本体２０を鉛に代えて鉄系の金属材料で製作しても、スピーカ５で発生した磁界の磁力線が防磁シート６を通り抜けることがないので、スピーカ５で発生した磁界の磁力がスピーカ５の近傍に位置するハンマー本体２０に影響を及ぼさないようにすることができ、これにより防磁シート６によってスピーカ５の磁力がハンマー本体２０に及ぼす影響を防ぐことができる。このため、鍵２の押鍵操作に伴ってハンマー３のハンマー本体２０が良好に回動変位して鍵２に所望するアクション荷重を付与することができ、これによりアコースティックピアノに近似した鍵タッチ感を良好に得ることができる。
【００３２】
この場合、特にハンマー３のハンマー本体２０は、スピーカ５の磁力による影響がハンマー本体２０に及ばないため、クリック感付与部材２６によって鍵２にアコースティックピアノで得られる抜ける感じの鍵タッチ感に近似した微妙な鍵タッチ感を確実に付与することができる。また、押鍵された鍵が初期位置に復帰する離鍵時に、スピーカ５の磁力によってハンマー３のハンマー本体２０の復帰動作が妨げられることがないので、ハンマー３のハンマー本体２０を速やかに初期位置に復帰させることができ、これにより同じ鍵を連続して押鍵する連弾の際に支障をきたすことがなく、良好に連弾ができる。
【００３３】
また、この電子ピアノでは、防磁シート６がスピーカ５とその近傍に位置するハンマー３との間に位置する箇所の鍵盤シャーシ１に設けられているので、防磁シート６を設けるための特別なスペースや特殊な設置部材などを必要とせず、防磁シート６を鍵盤シャーシ１の必要な箇所のみに簡単に取り付けることができる。このため、ハンマー３とスピーカ５との距離を離したり、防磁タイプのスピーカを使用したりせず、簡単な構造で、楽器全体の小型化を図ることができると共に、通常のスピーカ５を使用して低コスト化をも図ることができるほか、特にスピーカ５が設置場所の制約を受けないため、所望する箇所にスピーカ５を自由に設置することができる。
【００３４】
なお、上記実施形態では、防磁シート６をスピーカ５とその近傍に位置するハンマー３との間に位置する鍵盤シャーシ１の必要な箇所のみに設けた場合について述べたが、これに限らず、スピーカ５とハンマー３との間に位置する鍵盤シャーシ１の全体に防磁シート６を設けても良い。
【図面の簡単な説明】
【００３５】
【図１】この発明を適用した電子ピアノの非押鍵時における断面図である。
【図２】図１における電子ピアノの押鍵時における断面図である。
【符号の説明】
【００３６】
１  鍵盤シャーシ
２  鍵
３  ハンマー
４  ゴムスイッチ
５  スピーカ
６  防磁シート
１１  ハンマー支持部
１５  鍵支持部
２０  ハンマー本体
【図１】
2007003562.tif 000003
【図２】
2007003562.tif 000004